(57)【要約】【課題】地震時に家具類に転倒及び滑りが生じないようにして、地震時に家具類が動くのを効果的に防止できる家具の転倒滑り防止構造を提供する。【解決手段】屋内の壁面１１に沿って設置される家具類１２の地震時における転倒及び滑り移動を防止するための転倒滑り防止構造１０であって、壁面１１の上端部に沿って配置されるスライド係止溝１４を備える上部係止レール部材１５と、壁面１１の下端部に沿って配置されるスライド係止溝１６を備える下部係止レール部材１７と、一端部が索条体係着金具１３に各々係着されると共に、他端側が家具類１２に各々係着される複数本の索条体１８とからなり、家具類１２の上部両側部及び下部両側部の４箇所において、家具類１２と、スライド係止溝１４，１６に係止された索条体係着金具１３との間で索条体１８を張設することにより、索条体１８を介して壁面１１に支持させて家具類１２の転倒及び滑り移動を防止する。【選択図】図１
2011005193.tif 000002
【特許請求の範囲】
【請求項１】
屋内の壁面に沿って設置される家具類の地震時における転倒及び滑り移動を防止するための家具の転倒滑り防止構造であって、
前記壁面の上端部に沿って横方向に配置されると共に、索条体係着金具を横方向にスライド可能に係止させるスライド係止溝を備える上部係止レール部材と、
前記壁面の下端部に沿って横方向に配置されると共に、索条体係着金具を横方向にスライド可能に係止させるスライド係止溝を備える下部係止レール部材と、
一端部が前記索条体係着金具に各々係着されると共に、他端側が前記家具類に各々係着される複数本の索条体とからなり、
前記家具類の上部両側部及び下部両側部の少なくとも４箇所において、前記家具類と、前記スライド係止溝に係止された前記索条体係着金具との間で前記索条体を張設することにより、前記索条体を介して前記壁面に支持させて家具類の転倒及び滑り移動を防止する家具の転倒滑り防止構造。
【請求項２】
前記家具類の下部両側部と、前記下部係止レール部材のスライド係止溝に係止された前記索条体係着金具との間に張設される前記索条体が、水平方向に対して０〜６０度の角度で斜めに張設されている請求項１記載の家具の転倒滑り防止構造。
【請求項３】
前記索条体の他端側が家具側索条体係着金具を介して前記家具類に係着されている請求項１又は２記載の家具の転倒滑り防止構造。
【請求項４】
前記索条体係着金具及び／又は前記家具側索条体係着金具に、前記索条体が、張設長さを調整可能に係着されている請求項１〜３のいずれかに記載の家具の転倒滑り防止構造。
【請求項５】
前記索条体係着金具及び前記スライド係止溝が、前記索条体係着金具をスライド可能な状態から９０度回転させることにより、前記上部係止レール部材又は前記下部係止レール部材の所定の位置に前記索条体係着金具が固定される構造を備えている請求項１〜４のいずれかに記載の家具の転倒滑り防止構造。
【請求項６】
前記下部係止レール部材が巾木を兼ねるようになっている請求項１〜５のいずれかに記載の家具の転倒滑り防止構造。
【請求項７】
前記上部係止レール部材が回り縁を兼ねるようになっている請求項１〜６のいずれかに記載の家具の転倒滑り防止構造。
【発明の詳細な説明】
【技術分野】
【０００１】
本発明は、家具の転倒滑り防止構造に関し、特に、屋内の壁面に沿って設置される家具類の地震時における転倒及び滑り移動を防止するための家具の転倒滑り防止構造に関する。
【背景技術】
【０００２】
従来より、地震時における家具類の転倒や滑りを防止するための器具や装置が種々提案されており、例えば耐振マット、ベルト式の器具、ポール式の器具等を用いた構造を挙げることができる。例えば耐振マットは、粘着性を備えるマット状の部材を家具類の下に敷設して使用するものであるが、粘着性に依存していることから、家具類の滑り防止についてはその機能を効果的に発揮できるが、家具類の転倒防止については地震時の大きな揺れに対して耐えられなくなる場合がある。例えばベルト式の器具は、家具類の上部と壁との間をベルトで緊結して転倒を防止しようとするものであるが、地震時の大きな揺れに対しては、長さ調整部のバックルが緩んだり、家具類や壁への接合部分が剥がれて確実な転倒防止を期待することができなくなる。例えばポール式の器具は、家具類と天井との間を棒状の器具で突っ張ることにより家具類の転倒を防止しようとするものであるが、設置が容易な反面、室内の見栄えが悪くなり、また天井を押し上げて破損してしまったり、地震時に設置位置がずれ易くなって大きなゆれには耐えられなくなる場合がある。
【０００３】
一方、美観を考慮した家具類の転倒を防止するための構造として、屋内の壁面に沿って家具類の上方にレール部材を取り付けておき、このレール部材に索条体の一端部を係止して支持させると共に、索条体の他端部を家具類の上部に連結することで、家具類の転倒を防止するようにしたものも提案されている（例えば、特許文献１、特許部文献２参照）。
【先行技術文献】
【特許文献】
【０００４】
【特許文献１】特開２００７−１３０４０７号公報
【特許文献２】実用新案登録第３０９５４７９号公報
【発明の概要】
【発明が解決しようとする課題】
【０００５】
しかしながら、上記従来のレール部材と索条体とを用いた転倒防止構造では、家具類の上部のみが屋内の壁面から支持された状態となっているため、ある程度の揺れに対しては家具類の転倒を効果的に防止できる一方で、例えば大地震時において生じる、家具類の滑りに起因する足払いによる仰向け転倒や回転移動を効果的に防止することは困難である。
【０００６】
本発明は、地震時に家具類に転倒及び滑りが生じないようにして、地震時に家具類が動くのを効果的に防止することのできる家具の転倒滑り防止構造を提供することを目的とする。
【課題を解決するための手段】
【０００７】
本発明は、屋内の壁面に沿って設置される家具類の地震時における転倒及び滑り移動を防止するための家具の転倒滑り防止構造であって、前記壁面の上端部に沿って横方向に配置されると共に、索条体係着金具を横方向にスライド可能に係止させるスライド係止溝を備える上部係止レール部材と、前記壁面の下端部に沿って横方向に配置されると共に、索条体係着金具を横方向にスライド可能に係止させるスライド係止溝を備える下部係止レール部材と、一端部が前記索条体係着金具に各々係着されると共に、他端側が前記家具類に各々係着される複数本の索条体とからなり、前記家具類の上部両側部及び下部両側部の少なくとも４箇所において、前記家具類と、前記スライド係止溝に係止された前記索条体係着金具との間で前記索条体を張設することにより、前記索条体を介して前記壁面に支持させて家具類の転倒及び滑り移動を防止する家具の転倒滑り防止構造を提供することにより、上記目的を達成したものである。
【０００８】
そして、本発明の家具の転倒滑り防止構造は、前記家具類の下部両側部と、前記下部係止レール部材のスライド係止溝に係止された前記索条体係着金具との間に張設される前記索条体が、水平方向に対して０〜６０度の角度で斜めに張設されていることが好ましい。
【０００９】
また、本発明の転倒滑り防止構造は、前記索条体の他端側が家具側索条体係着金具を介して前記家具類に係着されていることが好ましい。
【００１０】
さらに、本発明の転倒滑り防止構造は、前記索条体係着金具及び／又は前記家具側索条体係着金具に、前記索条体が、張設長さを調整可能に係着されていることが好ましい。
【００１１】
さらにまた、本発明の転倒滑り防止構造は、前記索条体係着金具及び前記スライド係止溝が、前記索条体係着金具をスライド可能な状態から９０度回転させることにより、前記上部係止レール部材又は前記下部係止レール部材の所定の位置に前記索条体係着金具が固定される構造を備えていることが好ましい。
【００１２】
また、本発明の転倒滑り防止構造は、前記下部係止レール部材が巾木を兼ねるようになっていることが好ましい。
【００１３】
さらに、本発明の転倒滑り防止構造は、前記上部係止レール部材が回り縁を兼ねるようになっていることが好ましい。
【発明の効果】
【００１４】
本発明の家具の転倒滑り防止構造によれば、地震時に家具類に転倒及び滑りが生じないようにして、地震時に家具類が動くのを効果的に防止することができる。
【図面の簡単な説明】
【００１５】
【図１】本発明の好ましい一実施形態に係る家具の転倒滑り防止構造の構成を説明する斜視図である。
【図２】（ａ）は、家具類の上部において索条体及び上部係止レール部材を介して壁面に家具類を支持させる状態を説明する部分斜視図、（ｂ）は、上部係止レール部材の断面図である。
【図３】（ａ）は、家具類の下部において索条体及び下部係止レール部材を介して壁面に家具類を支持させる状態を説明する部分斜視図、（ｂ）は、下部係止レール部材の断面図である。
【図４】（ａ）は索条体係着金具の側面図、（ｂ）は上面図、（ｃ）は底面図、（ｄ）は索条体及びワッシャー部材を取り付けた状態の（ａ）のＡ−Ａに沿った断面図である。
【図５】家具側索条体係着金具の斜視図である。
【発明を実施するための形態】
【００１６】
本発明の好ましい一実施形態に係る家具の転倒滑り防止構造１０は、図１に示すように、屋内の壁面１１に沿って設置される家具類１２として、例えば洋服ダンスが、大地震による大きな揺れを受けた場合でも、転倒や滑りを生じることなく、その設置位置を強固に保持できるようにするための構造として採用されたものである。
【００１７】
すなわち、本実施形態の家具の転倒滑り防止構造１０は、屋内の壁面１１に沿って設置される家具類１２の地震時における転倒及び滑り移動を防止するための防止構造であって、壁面１１の上端部に沿って横方向に配置されると共に、索条体係着金具１３を横方向にスライド可能に係止させるスライド係止溝１４を備える上部係止レール部材１５と、壁面１１の下端部に沿って横方向に配置されると共に、索条体係着金具１３を横方向にスライド可能に係止させるスライド係止溝１６を備える下部係止レール部材１７と、一端部が索条体係着金具１３に各々係着されると共に、他端側が家具類１２に各々係着される複数本の索条体１８とからなり、家具類１２の上部両側部及び下部両側部の少なくとも４箇所において（本実施形態では４箇所）、家具類１２と、スライド係止溝１４，１６に係止された索条体係着金具１３との間で索条体１８を張設することにより、索条体１８を介して壁面１１に支持させて家具類１２の転倒及び滑り移動を防止するようになっている。
【００１８】
また、本実施形態では、索条体１８の他端側が家具側索条体係着金具１９を介して家具類１２に係着されるようになっており、索条体１８は、家具側索条体係着金具１９に、張設長さを調整可能に係着されるようになっている。
【００１９】
上部係止レール部材１５は、図２（ａ），（ｂ）にも示すように、好ましくはアルミニウム製の押出し成形品であって、図２（ｂ）に示すような断面形状を有する、長尺の帯状部材として形成される。また、本実施形態では、上部係止レール部材１５は、これの背面密着板１５ａに長手方向に所定の間隔をおいて複数形成された固定孔１５ｂを介して、壁面１１に向けて例えば固定ビスを打ち込むことにより、壁面１１の上端部に沿って横方向に水平に延設して取り付けられる。これによって、上部係止レール部材１５の背面密着板１５ａと対向する位置に、スライド係止溝１４が、横方向に水平に延設して表面側に向けて開口することになり、このスライド係止溝１４には、索条体係着金具１３が、着脱可能に係着されることになる。ここで、スライド係止溝１４は、表面側の開口縁部の両側に挟込み係止片１４ａが内側に張り出して設けられていることにより、表面側の幅Ｂ1よりも奥部の幅Ｂ2が広くなるよう形成されている。
【００２０】
また、本実施形態では、上部係止レール部材１５は、屋内における天井面２０と壁面１１とが交わる角部分に沿って取り付けられており、これによって天井回り縁を兼ねるようになっている。上部係止レール部材１５が天井回り縁を兼ねることにより、上部係止レール部材１５を良好な納まりで家具類１２の上方の壁面１１に取り付けることが可能になる。なお、上部係止レール部材１５は、天井面２０と壁面１１とが交わる角部分に沿って取り付ける必要は必ずしもなく、家具類１２の上方の天井面２０との間の適宜の位置を選定して、横方向に延設して取り付けることも可能である。
【００２１】
下部係止レール部材１７は、図３（ａ），（ｂ）にも示すように、好ましくはアルミニウム製の押出し成形品であって、図３（ｂ）に示すような断面形状を有する、長尺の帯状部材として形成される。また、本実施形態では、下部係止レール部材１７は、これの背面密着板１７ａに長手方向に所定の間隔をおいて複数形成された固定孔１７ｂを介して、壁面１１に向けて例えば固定ビスを打ち込むことにより、壁面１１の下端部に沿って横方向に水平に延設して取り付けられる。これによって、下部係止レール部材１７の背面密着板１７ａと対向する位置に、スライド係止溝１６が、横方向に水平に延設して表面側に向けて開口することになり、このスライド係止溝１６には、索条体係着金具１３が、着脱可能に係着されることになる。ここで、スライド係止溝１６は、表面側の開口縁部の両側に挟込み係止片１６ａが内側に張り出して設けられていることにより、表面側の幅Ｂ1よりも奥部の幅Ｂ2が広くなるよう形成されている。
【００２２】
また、本実施形態では、下部係止レール部材１７は、屋内における床面２１と壁面１１とが交わる角部分に沿って取り付けられており、これによって巾木を兼ねるようになっている。下部係止レール部材１７が巾木を兼ねることにより、下部係止レール部材１７を良好な納まりで家具類１２の下部の壁面１１に取り付けることが可能になる。なお、下部係止レール部材１７は、床面２１と壁面１１とが交わる角部分に沿って取り付ける必要は必ずしもなく、壁面１１の下部の適宜の位置を選定して、横方向に延設して取り付けることも可能である。
【００２３】
上部係止レール部材１５や下部係止レール部材１７と家具類１２の上部両側部や下部両側部との間に張設される索条体１８は、好ましくは可撓性を備えると共に、所望の引張強度を有する各種の線状部材であって、例えばステンレスワイヤー等のワイヤー、ナイロンロープ等のロープ、針金、チェーン等を用いることができる。本実施形態では、索条体１８は、レール部材１５，１７と家具類１２との間に張設するのに適した所望の長さに切断されると共に、一端部が索条体係着金具１３に係着されてこの索条体係着金具１３を介して上部係止レール部材１５や下部係止レール部材１７に連結され、他端側が家具側索条体係着金具１９に係着されてこの家具側索条体係着金具１９を介して家具類１２の上部両側部や下部両側部に連結されることになる。
【００２４】
本実施形態では、索条体１８の一端部を上部係止レール部材１５や下部係止レール部材１７に連結して支持させる索条体係着金具１３は、図４（ａ）〜（ｄ）にも示すように、略長円の平面形状を有する突出係着盤１３ａと、矩形の一対の対向する角部を斜面２２として斜めに切り欠いた６角形の平面形状を有する差込係着盤１３ｂとを、これらの長軸が垂直に交差するように配置して中間首部１３ｃを介して接合一体化させた立体形状を有している。
【００２５】
また、索条体係着金具１３には、突出係着盤１３ａ、中間首部１３ｃ、及び差込係着盤１３ｂの中央部を連続貫通して、索条体挿通孔２３が設けられており（図４（ｄ）参照）、この索条体挿通孔２３の差込係着盤１３ｂ側の部分には、その内径を拡大させた拡径係着部２３ａが形成されている。そして、突出係着盤１３ａ側から索条体挿通孔２３に索条体１８の一端部を挿通した後に、挿通された索条体１８の先端に例えば係着金物２４を接合して、この係着金物２４を索条体挿通孔２３の拡径係着部２３ａに係止することにより、索条体１８の一端部が索条体挿通孔２３から抜けないようにして、当該一端部を索条体係着金具１３に係着させることができるようになっている。
【００２６】
さらに、本実施形態では、索条体係着金具１３の差込係着盤１３ｂは、その長辺間の幅ｂ1が、上部係止レール部材１５のスライド係止溝１４の表面側の幅Ｂ1（図２（ｂ）参照）や、下部係止レール部材１７のスライド係止溝１６の表面側の幅Ｂ1（図３（ｂ）参照）よりも若干小さくなるように形成されている。これによって、上部係止レール部材１５や下部係止レール部材１７の任意の位置で、スライド係止溝１４，１６の奥部まで、索条体係着金具１３の差込係着盤１３ｂを容易に挿入配置できるようになっている。
【００２７】
一方、索条体係着金具１３の差込係着盤１３ｂは、その短辺間の幅ｂ2が、上部係止レール部材１５のスライド係止溝１４の奥部の幅Ｂ2（図２（ｂ）参照）や、下部係止レール部材１７のスライド係止溝１６の奥部の幅Ｂ2（図３（ｂ）参照）と同様の幅となるように形成されている。これによって、スライド係止溝１４，１６に差込係着盤１３ｂを挿入配置した後に、上部係止レール部材１５や下部係止レール部材１７の所定の位置において、索条体係着金具１３を斜面２２側に９０度回転させることにより、差込係着盤１３ｂの短辺部分がスライド係止溝１４，１６の奥部の内壁面に当接することでこれ以上回転することができなくなるので、索条体係着金具１３を、スライド可能な状態から上部係止レール部材１５や下部係止レール部材１７の所定の位置に容易に固定することが可能になる。
【００２８】
さらにまた、本実施形態では、索条体係着金具１３の差込係着盤１３ｂは、その中間首部１３ｃ側の上面に、斜面２２側から円周方向に向けて登り勾配となったテーパー面２６（図４（ａ）参照）を備えている。また索条体係着金具１３は、中間首部１３ｃに弾性変形可能な例えばシリコンゴムからなる円環形状のワッシャー部材２５を装着した状態で（図４（ｄ）参照）、差込係着盤１３ｂを上部係止レール部材１５や下部係止レール部材１７のスライド係止溝１４，１６に挿入させるようになっている。
【００２９】
したがって、上部係止レール部材１５や下部係止レール部材１７のスライド係止溝１４，１６に差込係着盤１３ｂを挿入した後に、索条体係着金具１３を斜面２２側に回転させれば、差込係着盤１３ｂは、その中間首部１３ｃ側の上面と突出係着盤１３ａの中間首部１３ｃ側の下面との間に、ワッシャー部材２５を介在させた状態で、上部係止レール部材１５の挟込み係止片１４ａや下部係止レール部材１７の挟込み係止片１６ａを挟み込むことになる。そして、差込係着盤１３ｂは、索条体係着金具１３の回転に伴って、その上面のテーパー面２６によってワッシャー部材２５の圧縮変形量を増加させて行くことになり、索条体係着金具１３を９０度回転させた状態では、ワッシャー部材２５の圧縮変形量が相当の大きさとなって、その弾性付勢力に伴う摩擦力によって、索条体係着金具１３を上部係止レール部材１５や下部係止レール部材１７の所定の位置に、強固に且つ安定した状態で固定することが可能になる。
【００３０】
なお、固定状態から索条体係着金具１３を逆方向に回転させれば、ワッシャー部材２５による締め付けが緩くなるので、索条体係着金具１３を上部係止レール部材１５や下部係止レール部材１７から容易に取り外すことが可能になる。
【００３１】
本実施形態では、索条体１８の他端側を家具類１２の上部両側部や下部両側部に連結させる家具側索条体係着金具１９は、図５に示すように、円筒状係着部２７と円柱状取付部２８と取付板部２９とによって構成される。円筒状係着部２７は、円柱状取付部２８に対して一軸回転可能にピン結合されており、また索条体１８の他端側を、リリースパイプ３０を介して内部に挿通した後に、側面に開口形成された導出孔３１から外側に引き出した状態で係着することができるようになっている。円筒状係着部２７は、例えば登録実用新案第３１２２２８８号公報に記載されているような、内部に設けられたチャック機構やリリースパイプ３０等からなる公知の長さ調整機構を備えており、これによって索条体１８の張設長さを調整可能に係着して、索条体１８の張設作業をスムーズに行うことができるようになっている。
【００３２】
また、円柱状取付部２８は、取付板部２９に例えばボルト接合等されて強固に接合一体化されており、取付板部２９を例えば家具類１２の上部両側部や下部両側部に密着させた状態で、固定ビス等を打ち込むことにより、索条体１８の他端側を、家具類１２の上部両側部や下部両側部に強固に且つ安定した状態で連結させることができるようになっている。
【００３３】
本実施形態では、上述の上部係止レール部材１５、下部係止レール部材１７、索条体１８、索条体係着金具１３、家具側索条体係着金具１９等を用いて、家具類１２の上部両側部及び下部両側部の４箇所において、家具類１２と、スライド係止溝１４，１６に係止された索条体係着金具１３との間で索条体１８を張設することにより、家具の転倒滑り防止構造１０を形成する。
【００３４】
ここで、家具類１２の上部は、家具類１２の上端から当該家具類の１／４の高さの領域であり、家具類１２の上面の他、側面や正面の上部も含まれる。家具類１２の下部は、家具類１２の下端から当該家具類１２の１／４の高さの領域であり、家具類１２の下面の他、側面や正面の下部も含まれる。家具類１２の側部は、家具類１２の側端から当該家具類１２の幅の１／４の幅の領域であり、家具類１２の側面の他、上面や正面の側部も含まれる。
【００３５】
また、家具類１２の下部両側部と、下部係止レール部材１７のスライド係止溝１６に係止された索条体係着金具１３との間に張設される索条体１８は、水平方向に対して０〜６０度の角度で斜めに張設されていることが好ましい。これらの索条体１８が水平方向に対して０〜６０度の角度で斜めに張設されていることにより、家具類１２に対するどの方向の揺れに対しても、家具類１２の転倒や滑りを効果的に防止することが可能になり、地震時における室内の安全をさらに向上させることが可能になる。
【００３６】
そして、上述の構成を備える本実施形態の家具の転倒滑り防止構造１０によれば、地震時に家具類１２に転倒及び滑りが生じないようにして、地震時に家具類１２が動くのを効果的に防止することが可能になる。すなわち、本実施形態によれば、家具類１２の上部両側部及び下部両側部の４箇所において、家具類１２と、スライド係止溝１４，１６に係止された索条体係着金具１３との間に索条体１８を張設することで、家具類１２を壁面１１から支持しているので、家具類１２の上部と下部の２箇所を同時に固定することにより、上部で転倒を下部で滑りを抑えて、大地震時においても家具類に危険な動きが生じるのを効果的に回避することが可能になる。
【００３７】
また、本実施形態では、上部係止レール部材１５や下部係止レール部材１７に索条体係着金具１３を横方向にスライド可能に係止させるので、家具類１２の幅や高さの変化に容易に対応することが可能になると共に、レール部材１５，１７に沿った自由な位置に家具類１２を配置することが可能になる。
【００３８】
なお、本発明は上記実施形態に限定されることなく種々の変更が可能である。例えば、家具類は洋服ダンスである必要は必ずしもなく、その他の種々の家具の地震時における転倒や滑りを防止するために本発明を採用することができる。また家具類の上部両側部及び下部両側部の５箇所以上において、家具類と索条体係着金具との間で索条体を張設することもできる。さらに、索条体の他端側が家具側索条体係着金具を介して家具類に係着されている必要は必ずしもなく、例えば索条体の他端側を家具類に巻き付けるようにして係着させることもできる。
【符号の説明】
【００３９】
１０  家具の転倒滑り防止構造
１１  壁面
１２  家具類
１３  索条体係着金具
１４，１６  スライド係止溝
１５  上部係止レール部材
１７  下部係止レール部材
１８  索条体
１９  家具側索条体係着金具
２０  天井面
２１  床面
【図１】
2011005193.tif 000003
【図２】
2011005193.tif 000004
【図３】
2011005193.tif 000005
【図４】
2011005193.tif 000006
【図５】
2011005193.tif 000007